(57)【要約】【課題】  無線ローカルエリアネットワーク信号検出装置及びその方法の提供。【解決手段】  エリア内のＩＥＥＥ８０２．１１ａ、８０２．１１ｂ及び８０２．１１ｇに符合する無線電波信号を走査し、並びに検出した無線電波信号をＲＳＳＩ（受信信号強度指示）データに変換して保存記録し、更に制御ユニットによりＲＳＳＩ強度と無線ローカルエリアネットワークの特性を相互に対比し、該エリアに無線ローカルエリアネットワークが架設されているかを判断するか、或いは無線ローカルエリアネットワーク信号の方位及びその強度を判断し、これにより認識率を高めると共に感度を良好とする目的を達成する。【選択図】        図２
2006128802.tif 000002
【特許請求の範囲】
【請求項１】
無線ローカルエリアネットワーク信号検出装置において、
該無線ローカルエリアネットワーク信号検出装置の駆動電源を制御するスイッチ制御ユニットと、
無線周波信号のデータを記録する制御ユニットと、
検出した周波信号をＲＳＳＩデータに変換する無線制御ユニットと、
制御ユニットが対比した後の結果を表示するランプ表示ユニットと、
電力を保存し検出装置を駆動する電源を供給する電池と、
を具えたことを特徴とする、無線ローカルエリアネットワーク信号検出装置。
【請求項２】
請求項１記載の無線ローカルエリアネットワーク信号検出装置において、無線制御ユニットが無線周波信号を受信するアンテナを具えたことを特徴とする、無線ローカルエリアネットワーク信号検出装置。
【請求項３】
請求項１記載の無線ローカルエリアネットワーク信号検出装置において、ランプ表示ユニットが表示設備に交換されたことを特徴とする、無線ローカルエリアネットワーク信号検出装置。
【請求項４】
無線ローカルエリアネットワーク信号検出方法において、
スイッチ起動のステップと、
周波数更新のステップと、
ＩＥＥＥ８０２．１１ａ、８０２．１１ｂ及び８０２．１１ｇに符合する無線電波信号の有無の検査のステップと、
無線電波読み取りのステップと、
無線ローカルエリアネットワークに符合する無線電波の有無を計算するステップと、
無線ローカルエリアネットワーク信号の方位及びその強度を記録するステップと、
全ての周波数が全部検査完了したかを確認するステップと、
状態表示のステップと、
を具えたことを特徴とする、無線ローカルエリアネットワーク信号検出方法。
【発明の詳細な説明】
【技術分野】
【０００１】
本発明は、一種の無線ローカルエリアネットワーク（Ｗｉｒｅｌｅｓｓ  Ｌｏｃａｌ
Ａｒｅａ  Ｎｅｔｗｏｒｋ；ＷＬＡＮ）信号検出装置及びその方法に係り、特に信号受信装置でエリア内のＩＥＥＥ８０２．１１ａ、８０２．１１ｂ及び８０２．１１ｇに符合する無線電波信号を走査し、それを記録及び対比し、該エリアに無線ローカルエリアネットワークが架設されているかを判断するか、或いは無線ローカルエリアネットワーク信号の方位及びその強度を判断する装置及び方法に関する。
【背景技術】
【０００２】
現在周知の無線ローカルエリアネットワーク信号検出方法によると、信号受信装置で範囲内の全ての２．４ＧＨｚ  ＩＳＭバンド（Ｉｎｄｕｓｔｒｉａｌ，Ｓｃｉｅｎｔｉｆｉｃ，ａｎｄ  Ｍｅｄｉｃａｌ  Ｒａｄｉｏ  Ｂａｎｄｓ）の電波を検出するが、但し２．４ＧＨｚは各国共通のＩＳＭバンドであるため、生活環境周辺に各種の異なる２．４ＧＨｚ信号、例えばマイクロウエーブ、室内無線電話（２．４ＧＨｚ）、ブルートゥース装置等が満ちあふれている。周知の信号検出方法は図１に示されるようであり、Ａ６は電源供給装置であり、現在周知の技術によると起動時にＡ１により異なる２．４ＧＨｚパルス信号を受信し、Ａ２が直接それを増幅し並びにＡ３により検波の後、更にＡ４の電圧変換ユニットによりアナログ−デジタル変換し、Ａ５により表示し、範囲内の２．４ＧＨｚ信号の有無を知る事ができる。しかしこの技術は受信した信号に対して対比分析が行なえず、ゆえにその受信した２．４ＧＨｚパルス信号が無線ローカルエリアネットワーク信号であるかを判断できず、僅かに２．４ＧＨｚ信号の有無を検出できるだけにすぎない。
【０００３】
グローバル無線通信技術の新派及び大量の無線オンライン要求に伴い、ほとんどの国家は積極的に無線ローカルエリアネットワークの基礎建設を進めている。しかし無線ローカルエリアネットワークは未だ全面的に随所に普及しているわけではなく、このような情況でいかに良好な無線ローカルエリアネットワーク検出方法を取得し、無線オンラインの便利性及び可能性を増すかが、業界一般の問題となっている。
【発明の開示】
【発明が解決しようとする課題】
【０００４】
本発明は上述の背景技術の問題に基づき、業界及び無線ローカルエリアネットワーク使用者が正確に無線ローカルエリアネットワークを検出できる実用的な無線ローカルエリアネットワーク信号検出装置及びその方法を提供するものである。
【０００５】
即ち、本発明の主要な目的は、一種の無線ローカルエリアネットワーク信号検出装置及びその方法を提供することにあり、それは、エリア内のＩＥＥＥ８０２．１１ａ、８０２．１１ｂ及び８０２．１１ｇに符合する無線電波信号を走査し、それをＲＳＳＩ（受信信号強度指示；Ｒｅｃｅｉｖｅｄ  Ｓｉｇｎａｌ  Ｓｔｒｅｎｇｔｈ  Ｉｎｄｉｃａｔｏｒ）データに変換して制御ユニットの判断と対比の根拠となす装置及び方法であるものとする。
【０００６】
本発明のもう一つの目的は、一種の無線ローカルエリアネットワーク信号検出装置及びその方法を提供することにあり、それは、ＲＳＳＩ（受信信号強度指示）データと無線ローカルエリアネットワークの特性を相互に対比し、これにより該エリア内の無線ローカルエリアネットワーク信号の存在の有無を判断並びに確認する装置及びその方法であるものとする。
【０００７】
本発明の更にもう一つの目的は、一種の無線ローカルエリアネットワーク信号検出装置及びその方法を提供することにあり、それはランプ信号により該エリアに無線ローカルエリアネットワークが架設されているか否か、或いは無線ローカルエリアネットワーク信号の方位及びその強度を速やかに表示し、無線ローカルエリアネットワーク使用者及びエンジニアの参考に供する装置及びその方法であるものとする。
【０００８】
本発明の別の目的は、敏捷でコストが安く、多種類の無線ローカルエリアネットワークの信号を検出でき、これにより検出設備コストを大幅に削減できる一種の無線ローカルエリアネットワーク信号検出装置及びその方法を提供することにある。
【課題を解決するための手段】
【０００９】
請求項１の発明は、無線ローカルエリアネットワーク信号検出装置において、
該無線ローカルエリアネットワーク信号検出装置の駆動電源を制御するスイッチ制御ユニットと、
無線周波信号のデータを記録する制御ユニットと、
検出した周波信号をＲＳＳＩデータに変換する無線制御ユニットと、
制御ユニットが対比した後の結果を表示するランプ表示ユニットと、
電力を保存し検出装置を駆動する電源を供給する電池と、
を具えたことを特徴とする、無線ローカルエリアネットワーク信号検出装置としている。
請求項２の発明は、請求項１記載の無線ローカルエリアネットワーク信号検出装置において、無線制御ユニットが無線周波信号を受信するアンテナを具えたことを特徴とする、無線ローカルエリアネットワーク信号検出装置としている。
請求項３の発明は、請求項１記載の無線ローカルエリアネットワーク信号検出装置において、ランプ表示ユニットが表示設備に交換されたことを特徴とする、無線ローカルエリアネットワーク信号検出装置としている。
請求項４の発明は、無線ローカルエリアネットワーク信号検出方法において、
スイッチ起動のステップと、
周波数更新のステップと、
ＩＥＥＥ８０２．１１ａ、８０２．１１ｂ及び８０２．１１ｇに符合する無線電波信号の有無の検査のステップと、
無線電波読み取りのステップと、
無線ローカルエリアネットワークに符合する無線電波の有無を計算するステップと、
無線ローカルエリアネットワーク信号の方位及びその強度を記録するステップと、
全ての周波数が全部検査完了したかを確認するステップと、
状態表示のステップと、
を具えたことを特徴とする、無線ローカルエリアネットワーク信号検出方法としている。
【発明の効果】
【００１０】
本発明の無線ローカルエリアネットワーク信号検出装置及びその方法は、エリア内のＩＥＥＥ８０２．１１ａ、８０２．１１ｂ及び８０２．１１ｇに符合する無線電波信号を走査し、並びに検出した無線電波信号をＲＳＳＩ（受信信号強度指示）データに変換して保存記録し、更に制御ユニットによりＲＳＳＩ強度と無線ローカルエリアネットワークの特性を相互に対比し、該エリアに無線ローカルエリアネットワークが架設されているかを判断するか、或いは無線ローカルエリアネットワーク信号の方位及びその強度を判断し、これにより認識率を高めると共に感度を良好とする目的を達成する。
【発明を実施するための最良の形態】
【００１１】
図２は本発明の検出装置の表示図である。本発明の無線ローカルエリアネットワーク信号検出装置は、
該検出装置の駆動電源を制御するスイッチ制御ユニット１１と、
無線周波信号のデータを記録する制御ユニット１２と、
検出した周波信号をＲＳＳＩ（受信信号強度指示）データに変換し、一端にアンテナ１３１が設けられてこのアンテナ１３１が無線周波信号を受信するのに用いられる無線制御ユニット１３と、
制御ユニット１２が対比後の結果を表示し、他の表示設備に交換も可能であるランプ表示ユニット１４と、
電力を保存し検出装置を駆動する電源を供給する電池１５と、
を具えている。
【００１２】
上述したように、本検出装置が無線ローカルエリアネットワーク信号検出を行なう時は、まずスイッチ制御ユニット１１を起動して本検出装置をオンし、制御ユニット１２により無線制御ユニット１３内の周波数を更新し、並びに無線制御ユニット１３及びアンテナ１３１によりエリア内のすべてのＩＥＥＥ８０２．１１ａ、８０２．１１ｂ及び８０２．１１ｇに符合する無線電波信号を走査及び受信し、無線制御ユニット１３により走査した周波信号をＲＳＳＩ（受信信号強度指示）データに変換し、制御ユニット１２によりＲＳＳＩ（受信信号強度指示）データを記録し、無線ローカルエリアネットワークの有無、その信号方位及び強度を確認し、更にランプ表示ユニット１４により表示し、無線ローカルエリアネットワーク使用者及びエンジニアの参考に供する。
【００１３】
図３は本発明の検出実行のフローチャートである。そのうち、無線ローカルエリアネットワーク信号検出の方法は、以下のステップを包含する。即ち、
ステップ２１：スイッチ起動：該スイッチ制御ユニット１１をオンして制御ユニット１２を起動し、もし既に起動されていればステップ２２を実行し、未だ起動されていなければ待機状態に戻り、並びにステップ２１を実行する。
ステップ２２：周波数を更新：制御ユニット１２が無線制御ユニット１３が無線ローカルエリアネットワークに至る存在可能な周波数を更新する
ステップ２３：ＩＥＥＥ８０２．１１ａ、８０２．１１ｂ及び８０２．１１ｇに符合する無線電波信号の存在の有無を検査：無線制御ユニット１３及びアンテナ１３１によりエリア内の無線電波を検出し、ＩＥＥＥ８０２．１１ａ、８０２．１１ｂ及び８０２．１１ｇに符合する無線電波信号の存在を検出すれば、ステップ２４を実行し、検出しなければ待機状態に戻りステップ２１を実行する。
ステップ２４：無線電波を読み取る：無線制御ユニット１３が受信した無線電波をＲＳＳＩ（受信信号強度指示）データに変換し、制御ユニット１２による読み取りに供する。
ステップ２５：無線ローカルエリアネットワークに符合する無線電波の有無を計算する：制御ユニット１２がＲＳＳＩ（受信信号強度指示）データを読み取り、無線ローカルエリアネットワーク特性と一つずつ対比し、対比の結果，符合する無線ローカルエリアネットワーク信号が無ければステップ２７を実行する。
ステップ２６：無線ローカルエリアネットワークの周波数及び強度を記録：検出したＲＳＳＩ（受信信号強度指示）データ（無線ローカルエリアネットワークの周波数、方位及び強度）を制御ユニット１２に記録し並びにステップ２７を実行する。
ステップ２７：全ての周波数が全部検査完了したかを確認：制御ユニット１２が全ての周波数が全部検査完了したかを確認し、もし完了が確認されればステップ２８を実行し、エラーが確認されればステップ２４を実行する。
ステップ２８：状態表示：ランプ表示ユニット１４により周波数、方位或いは信号強度を表示する。
【００１４】
本発明の無線ローカルエリアネットワーク信号検出装置及びその方法は、無線ローカルエリアネットワーク使用者及びエンジニアが該検出装置を使用して無線ローカルエリアネットワーク信号検出を行なう時、制御ユニット１２を利用して無線ローカルエリアネットワークに存在しうる周波数（即ちＩＥＥＥ８０２．１１ａ、８０２．１１ｂ及び８０２．１１ｇ規則に符合する無線電波信号）を更新し、更に無線制御ユニット１３及びアンテナ１３１によりエリア内に存在しうる無線ローカルエリアネットワーク周波数を走査及び受信し、並びに無線制御ユニット１３により走査した信号をＲＳＳＩ（受信信号強度指示）データに変換し、制御ユニット１２によりＲＳＳＩデータを無線ローカルエリアネットワーク特性と対比し並びに記録し、無線ローカルエリアネットワークの有無、方位及び信号強度を確認し、更にランプ表示ユニット１４により表示し、無線ローカルエリアネットワーク使用者及びエンジニアの参考に供する。これにより認識率が高く感度が良好である特徴を達成し、これにより使用に便利で高い実用性を具備するものとされる。
【００１５】
以上の説明は本発明の実施例の具体的説明であって、本発明の実施の範囲を限定するものではなく、本発明の精神より離脱せずになし得て同じ効果を有する実施と変更は、いずれも本発明の請求範囲に属するものとする。
【図面の簡単な説明】
【００１６】
【図１】周知の検出装置の表示図である。
【図２】本発明の検出装置の表示図である。
【図３】本発明の検出実行のフローチャートである。
【符号の説明】
【００１７】
Ａ１  アンテナ
Ａ２  増幅器
Ａ３  ダイオード
Ａ４  電圧変換ユニット
Ａ５  ランプ表示ユニット
Ａ６  電池
１１  スイッチ制御ユニット
１２  制御ユニット
１３  無線制御ユニット
１３１  アンテナ
１４  ランプ表示ユニット
１５  電池
２１  スイッチ起動
２２  周波数更新
２３  無線電波の存在の有無を検査
２４  無線電波読み取り
２５  無線ローカルエリアネットワークに符合する無線電波があるかを計算
２６  無線ローカルエリアネットワークの周波数及び強度を記録
２７  全ての周波数の検査を全て完了したかを確認
２８  状態表示
【図１】
2006128802.tif 000003
【図２】
2006128802.tif 000004
【図３】
2006128802.tif 000005